(57)【要約】【課題】下階の外壁及び間仕切壁の通気層の空気を、Ｌ字形の通気パイプ内を流動して上階の二層床の通気層を通過し、上階の外壁及び間仕切壁を上昇する空気の循環装置を提供する。【解決手段】  下階6の外壁1及び間仕切壁2を構成する壁の室内側に張った下地材13を、下階6の天井板14と胴差7及び梁8の下面との間の空間を各間柱17間と胴差7及び梁8の内側に接して延長して張って各間柱17間の空間を密閉状態にし、下階6の下地材13の各間柱17間の中心位置に胴差7及び梁8の下部の適宜の位置に複数の丸孔18を設け、上階5の二層床16の下部床板10に複数の丸孔18を設け、下階6の壁に設けた丸孔18と上階5の下部床板11に設けた丸孔18に合わせてＬ字状の通気パイプを4を連接し、下階6の外壁1及び間仕切壁2の通気層の空気を、通気パイプ4を流動して上階5の二層床16の通気層3を通過して上階5の外壁1及び間仕切壁2の通気層3を上昇する。【選択図】  図1
2008057162.tif 000002
【特許請求の範囲】
【請求項１】
木造建築の構築で、下階の外壁及び間仕切壁の通気層の空気が、複数の通気パイプ内を上昇して上階の二層床の通気層を通過し、該二層床の通気層から上階の外壁及び間仕切壁の通気層を上昇する建物の構造において、
前記上階の二層床の通気層に設けた上部床板を支持する根太の根太受金具であって、帯板の上面にビス孔を左右交互に有する帯板の中心に所定の間隔を開けて断面が正方形の複数の支持棒を立設し、該支持棒の上端に断面がコ字状で両側面板に釘孔を有する根太嵌設部材の底板を前記帯板に直交して溶着し、前記ニ層床の下部床板の上面に複数の前記帯板を所定の間隔を開けて根太と直角方向にビス止めして固定し、複数の前記根太嵌設部材に根太を嵌設し、該根太嵌設部材の両側面板の釘孔から前記根太の両側面に釘止めして固定し、前記根太受金具と根太を固定し、複数の該根太の上面に前記上部床板を張って二層床の通気層を形成し、前記上階の外壁及び間仕切壁に張った下地材の下部に上下方向に所定間隔の空間を開けた通気路を設け、前記上階の二層床の通気層から各室の周囲の壁裾に向かって平等に空気が流動し、前記上階の外壁及び間仕切壁の通気層内を空気が上昇することを特長とする根太受金具及び根太受金具の取付方法。
【請求項２】
木造建築の構築で、下階の外壁及び間仕切壁の通気層の空気が、複数の通気パイプ内を上昇して上階の二層床の通気層を通過し、該二層床の通気層から上階の外壁及び間仕切壁の通気層を上昇する建物の構造において、
前記下階の外壁及び間仕切壁を構成する壁の室内側に張った下地材を、下階の天井板と胴差及び梁の下面との間の空間を各間柱間と前記胴差及び梁の内側面に接して延長して張って前記各間柱間の空間を密閉状態にし、前記下階の下地材の各間柱間の中心位置に前記胴差及び梁の下部の適宜の位置に複数の丸孔を設け、前記上階の二層床の下部床板に前記間柱間の中心位置に前記胴差及び梁の室内側の適宜の位置に複数の丸孔を設け、前記下階の外壁及び間仕切壁の下地材に設けた該丸孔と、前記上階の二層床の下部床板に設けた前記丸孔に合わせてＬ字形の前記通気パイプを連接し、前記下階の外壁及び間仕切壁の通気層内の空気を、複数の前記通気パイプ内を流動して前記二層床の通気層を通過し、前記上階の外壁及び間仕切壁の通気層を上昇することを特長とする通気パイプ及び通気パイプの取付方法。
【請求項３】
前記通気パイプはプラスチック材でＬ字形に成型され、短辺側の横の先端に通気パイプに直交して四隅にビス孔を有する正方形の鍔を設け、長辺側の縦の先端に通気パイプに直交して四隅にビス孔を有する正方形の鍔を設け、前記下階の外壁及び間仕切壁の室内側に張った下地材に設けた複数の前記丸孔と、前記上階の二層床の下部床板に設けた複数の前記丸孔に複数の前記通気パイプの両端を合わせ双方の鍔を当接してビス孔からビス止めして固定し、前記下階の外壁及び間仕切壁の通気層の空気を複数の前記通気パイプ内を流動して前記上階の二層床の通気層を通過し、該二層床の通気層から上階の外壁及び間仕切壁の通気層を上昇することを特長とする請求項2に記載の通気パイプ及び通気パイプの取付方法。
【発明の詳細な説明】
【技術分野】
【０００１】
本発明は、木造建築の下階の外壁及び間仕切壁の通気層の空気を、複数の通気パイプ内を流動して上階の二層床の通気層を通過し、二層床の通気層から上階の外壁及び間仕切壁の通気層へと良好に流動することに関する。
【背景技術】
【０００２】
現在の木造建築の下階と上階の中間の床組構造は、床全面に周囲の胴差及び梁の上面に渡って床板が張られ、下階の外壁及び間仕切壁の通気層内の空気が上階の床に張った床板で遮断されているので、下階の外壁及び間仕切壁の通気層の空気が、上階の外壁及び間仕切壁の通気層を上昇することができない。上階の外壁及び間仕切壁の通気層の空気が小屋裏へと流動し、小屋裏空間から屋外に排出されるという空気の連通が施工されていないので、現在は機械による換気方法のみにて、自然的に建物内を空気が循環する機能がない。
【０００３】
特許文献1の図1に示される様に、内壁空洞の連通を目的とした住宅において、床下地合板を柱間の土台や梁まで敷き込んで床の面剛性を確保し、さらに下側の合板の上に根太そして根太の上に合板を施工して、根太の上下の合板の間に通気空隙を確保し、下の合板は少なくとも土台や梁近くの根太間を含む数ヶ所に小穴をあけて下の空間と根太内の通気空隙とつなぎ、同時に根太内の通気空隙は内壁空洞と連通させて、床下空間と内壁空洞そしてふところ空間や小屋裏空間などの躯体内空間を一連に導通した根太内通気構造となっている。
【０００４】
しかしながら、根太の上下の合板の間に通気空隙を確保し、下の合板は根太間を含む数ヶ所に小穴をあけて下の空間と根太内の通気空隙とつなぎ、となっているが、下の空間とは、床下空間であり、床下空間の空気は床下に滞留している空気である、したがって、空気そのものの流動する力は弱いものである。根太内の通気空隙は内壁空洞と連通させて、床下空間と内壁空洞そしてふところ空間や小屋裏空間などの躯体内空間を一連に導通した根太内通気構造となっているが、根太内通気空隙は根太方向のみにて、根太と直角方向の通気が望めない、よって、根太と直角方向の内壁空洞内への通気も望めないので、躯体内空間を一連に空気が導通することは充分とはいえない。
【特許文献１】特開平11−270009号公報（3頁図1）
【発明の開示】
【発明が解決しようとする課題】
【０００５】
この発明が解決しようとする主たる問題点は、上階の床構造が地震又は台風時に水平方向に強力な外力を受けても、床全面に周囲の胴差及び梁に渡って床板を張って床の面剛性を確保している。故に、下階の外壁及び間仕切壁内から上昇しようとする空気が上階の床板の下側で遮断されていた。本発明は、このような課題を改善するために提案されたものであって、下階の天井板と胴差及び梁の下面との間の空間を、内装下地材を間柱間と胴差又は梁の内側面に接して張って外壁及び間仕切壁内の空間を密閉状態に形成し、上階の二層床の上部床板を支持する複数の根太を支持金具で支持し、複数の根太の上面に上部床板を張って下部床板と上部床板の間の空間に所定の間隔を開けて二層床の通気層を設け、下階の各間柱間と胴差及び梁の面に接して張った内装下地材に丸孔を設け、上階の二層床の下部床板に丸孔を設け、下階の内装下地材の丸孔と、二層床の下部床板の丸孔に複数のＬ字状の通気パイプを連接し、下階の外壁及び間仕切壁の通気層の空気が、Ｌ字状の複数の通気パイプ内を流動して上階の二層床の通気層を平等に流動し、上階の外壁及び間仕切壁の通気層を上昇することを提供することを目的とする。
【課題を解決するための手段】
【０００６】
請求項1に係る発明は、木造建築の構築で、下階の外壁及び間仕切壁の通気層の空気が、複数の通気パイプ内を上昇して上階の二層床の通気層を通過し、該二層床の通気層から上階の外壁及び間仕切壁の通気層を上昇する建物の構造において、
前記上階の二層床の通気層に設けた上部床板を支持する根太の根太受金具であって、帯板の上面にビス孔を左右交互に有する帯板の中心に所定の間隔を開けて断面が正方形の複数の支持棒を立設し、該支持棒の上端に断面がコ字状で両側面板に釘孔を有する根太嵌設部材の底板を前記帯板に直交して溶着し、前記ニ層床の下部床板の上面に複数の前記帯板を所定の間隔を開けて根太と直角方向にビス止めして固定し、複数の前記根太嵌設部材に根太を嵌設し、該根太嵌設部材の両側面板の釘孔から前記根太の両側面に釘止めして固定し、前記根太受金具と根太を固定し、複数の該根太の上面に前記上部床板を張った前記二層床の通気層を形成し、前記上階の外壁及び間仕切壁に張った下地材の下部に上下方向に所定間隔の空間を開けて通気路を設け、前記上階の二層床の通気層から各室の周囲の壁裾に向かって平等に空気が流動し、前記上階の外壁及び間仕切壁の通気層内を空気が上昇することを特長とし、小屋裏に流動した空気を排出手段で屋外に排出することで室内を空気が循環することになる。
【０００７】
請求項2に係る発明は、木造建築の構築で、下階の外壁及び間仕切壁の通気層の空気が、複数の通気パイプ内を上昇して上階の二層床の通気層を通過し、該二層床の通気層から上階の外壁及び間仕切壁の通気層を上昇する建物の構造において、
前記下階の外壁及び間仕切壁を構成する壁の室内側に張った下地材を、下階の天井板と胴差及び梁の下面との間の空間を各間柱間と前記胴差及び梁の内側面に接して延長して張って前記各間柱間の空間を密閉状態にし、前記下階の下地材の各間柱間の中心位置に前記胴差及び梁の下部の適宜の位置に複数の丸孔を設け、前記上階の二層床の下部床板に前記間柱間の中心位置に前記胴差及び梁の室内側の適宜の位置に複数の丸孔を設け、前記下階の外壁及び間仕切壁の下地材に設けた該丸孔と、前記上階の二層床の下部床板に設けた前記丸孔に合わせてＬ字形の前記通気パイプを連接し、前記下階の外壁及び間仕切壁の通気層内の空気を、複数の前記通気パイプ内を流動して前記二層床の通気層を通過し、前記上階の外壁及び間仕切壁の通気層を上昇することを特長とする。
【０００８】
請求項3に係る発明は、前記通気パイプはプラスチック材でＬ字形に成型され、短辺側の横の先端に通気パイプに直交して四隅にビス孔を有する正方形の鍔を設け、長辺側の縦の先端に通気パイプに直交して四隅にビス孔を有する正方形の鍔を設け、下階の前記外壁及び間仕切壁の室内側に張った下地材に設けた複数の丸孔と、前記上階の二層床の下部床板に設けた複数の丸孔に前記複数の通気パイプの両端を合わせて双方の前記鍔を当接してビス孔からビス止めして固定し、前記下階の外壁及び間仕切壁の通気層の空気を複数の前記通気パイプ内を流動して前記上階の二層床の通気層を通過し、該二層床の通気層から上階の外壁及び間仕切壁の通気層を上昇することを特長とする。
【発明の効果】
【０００９】
下階の外壁及び間仕切壁の通気層内の空気が、Ｌ字状の通気パイプ内を流動して上階の二層床の通気層を流動し、二層床の通気層から上階の外壁及び間仕切壁の通気層を上昇し、小屋裏空間に流動した空気を排出手段で屋外に排出することで、建物内のハウスダストや湿気を排出し、新鮮な空気の供給により、建物の健康と、居住する人の健康が得られ、メンテナンスや維持費が掛らないという効果がある。
【発明を実施するための最良の形態】
【００１０】
以下、本発明を実施するための最良の形態を、添付した図面を参照しながら詳細に説明する。
【００１１】
本実施形態に係る空気の流通は、図1に示すように、密閉状態にした下階の外壁18及び間仕切壁23の通気層16の空気が複数のＬ字状の通気パイプ10内を流動し、上階22の二層床20の通気層16を通過し、上階22の外壁18及び間仕切壁23の通気層16を上昇するものである。
【００１２】
上階22の二層床20の通気層16に設けた上部床板24を支持する根太8の根太受金具1であって、帯板6の上面にビス孔7を左右交互に有する帯板6の中心に所定の間隔を開けて断面が正方形の複数の支持棒5を立設し、該支持棒5の上端に断面がコ字状で両側面板3に釘孔4を有する根太嵌設部材2の底板2aを帯板6に直交して溶着する。
【００１３】
上階22の二層床20の下部床板13の上面に適宜の間隔を開けて複数の帯板6のビス孔7からビス止めして複数の根太受金具1を配設し、各根太受金具1の根太嵌設部材2に複数の根太8を嵌設し、根太嵌設部材2の両側面板3の釘孔4から根太8の両側面に釘を打ち込み、根太受金具1と根太8を固定し、各根太8の上面に二層床20の上部床板24を張り、二層床20の通気層16を形成する。
【００１４】
上階22の外壁18及び間仕切壁23の室内側に張った下地板12を、上階22の二層床20の上部床板24の上面から張り上げ、下地板12の下端と二層床20の下部床板13との間に空間を開けて通気路を設け、二層床20の通気層16の空気が上階22の外壁18及び間仕切壁23の通気層16へ流動するものである。
【００１５】
通気パイプ10はプラスチック材でＬ字型に成型し、短辺側の横の先端に通気パイプ10に直交して四隅にビス孔10bを有する正方形の鍔10ａを設け、長辺側の縦の先端に通気パイプ10に直交して四隅にビス孔10bを有する鍔10aを設ける。
【００１６】
下階21の天井板17と胴差14及び梁15の下面との間の空間を、室内側に張った下地板12を延長して複数の間柱19間と胴差14及び梁15の内側面に接して下地板12を張り、外壁18及び間仕切壁23の複数の間柱19間の空間を密閉状態とする。
【００１７】
下階21の天井板17と胴差14及び梁15の下面との間の各間柱19間の中心位置で胴差14及び梁15の下面の適宜の位置の下地板12の面に丸孔11を設け、上階22の二層床20の下部床板13の各間柱19間の中心位置で、胴差14及び梁15から内側に寄った適宜の位置に丸孔11を設け、下階21の外壁18及び間仕切壁23の下地板12に設けた丸孔11と、上階22の二層床20の下部床板13に設けた丸孔11にＬ字状の通気パイプ10を合わせ、通気パイプ10の短辺側の鍔10aと、通気パイプ10の長辺側の鍔10aの両鍔10のビス孔10bからビス10c止めして固定する。
【００１８】
下階21の外壁18及び間仕切壁23の各通気層16と、上階22の二層床20の通気層16とをＬ字型の複数の通気パイプで連接し、下階21の外壁18及び間仕切壁23の各通気層16の空気を、上階22の二層床20の通気層16を平等に流動し、上階22の外壁18及び間仕切壁23の各通気層16を上昇し、小屋裏に流動した空気を排出手段で屋外に排出することで、建物内を空気が循環し、メンテナンスや維持費の必要がない、建物にも居住する人にも健康的な環境が得られる。
【図面の簡単な説明】
【００１９】
【図１】根太受金具と通気パイプを取付けた状態の建物の部分断面図である。
【図２】図2の（a）は根太受金具の根太嵌設部材の断面図であり、（b）は根太受金具の根太嵌設部材の側面図である。
【図３】帯板の上面に根太嵌設部材を立設した根太受金具の斜視図である。
【図４】下階の外壁の通気層と上階の二層床の通気層をＬ字型の通気パイプで連接した状態の斜視図である。
【図５】下階の壁の下地材の丸孔と、上階の二層床の下部床板の丸孔とＬ字型の通気パイプを連接した要部の拡大斜視図である。
【符号の説明】
【００２０】
1  根太受金具
2  根太嵌設部材
2ａ  底板
3  側面板
4  釘孔
5  支持棒
6  帯板
7  ビス孔
8  根太
10  通気パイプ
10a 鍔
10b ビス孔
10c ビス
11  丸孔
12  下地板
13  下部床板
14  胴差
15  梁
16  通気層
17  天井板
18  外壁
19  間柱
20  二層床
21  下階
22  上階
23  間仕切壁
24  上部床板
25  根太
【図１】
2008057162.tif 000003
【図２】
2008057162.tif 000004
【図３】
2008057162.tif 000005
【図４】
2008057162.tif 000006
【図５】
2008057162.tif 000007
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
木造建築の構築で、下階の外壁及び間仕切壁の通気層の空気が、複数の通気パイプ内を流動して上階の二層床の通気層を通過し、該二層床の通気層から上階の外壁及び間仕切り壁の通気層を上昇する建物の構造において、
上階の床構造で胴差、梁及び各根太の上面に渡って下部床板を釘着して水平方向の床構面の剛性を保ち、該下部床板の上部に適宜の空隙を設け、上部床板を支持する根太の根太受金具を用いて上部床板を張って二層床を形成し、前記下階の外壁及び間仕切壁を構成する壁の室内側に張った下地材を、下階の天井板と胴差及び梁の下面との間の空間を各間柱と前記胴差及び梁の内側面に接して上方に延長して張って前記各間柱間の空間を密閉状態にし、前記下階の下地材の各間柱間の中心位置に前記胴差及び梁の下部の適宜の位置に丸孔を設け、前記上階の二層床の下部床板に前記間柱間の中心位置に前記胴差及び梁の室内側の適宜の位置に丸孔を設け、前記下階の外壁及び間仕切壁の下地材に設けた前記丸孔と、前記上階の二層床の下部床板に設けた前記丸孔に合わせてＬ字状の前記通気パイプを連接し、前記下階の外壁及び間仕切壁の通気層内の空気を、複数の前記通気パイプ内を流動して前記二層床の通気層を通過し、前記上階の外壁及び間仕切壁の通気層を上昇することを特徴とする通気パイプを用いた通気構造。
【手続補正２】
【補正対象書類名】明細書
【補正対象項目名】全文
【補正方法】変更
【補正の内容】
【発明の詳細な説明】
【技術分野】
【０００１】
本発明は、木造建築の下階の外壁及び間仕切壁の通気層の空気を、複数の通気パイプ内を流動して上階の二層床の通気層を通過し、二層床の通気層から上階の外壁及び間仕切壁の通気層へと良好に流動することに関する。
【背景技術】
【０００２】
現在の木造建築の下階と上階の中間の構造は、床全面に周囲の胴差、梁及び根太の上面に渡って床板が張られ、下階の外壁及び間仕切壁の通気層内の空気が上階の床に張った床板で遮断されているので、下階の外壁及び間仕切壁の通気層の空気が、上階の外壁及び間仕切壁の通気層を上昇することができない。上階の外壁及び間仕切壁の通気層の空気が小屋裏空間へと流動し、小屋裏空間から屋外に排出されるという空気の連通が施工されていないので、現在は機械による換気方法のみにて、自然的に建物内を空気が循環する機能がない。
【０００３】
特許文献1の図1に示される様に、内壁空洞の連通を目的とした住宅において、床下地合板を柱間の土台や梁まで敷き込んで床の面剛性を確保し、さらに下側の合板の上に根太そして根太の上に合板を施工して、根太の上下の合板の間に通気空隙を確保し、下の合板は少なくとも土台や梁近くの根太間を含む数ヶ所に小穴をあけて下の空間と根太内の通気空隙とつなぎ、同時に根太内の通気空隙は内壁と連通させて、床下空間と内壁空洞そしてふところ空間や小屋裏空間などの躯体内空間を一連に導通した根太内通気構造となっている。
【０００４】
しかしながら、根太の上下の合板の間に通気空間を確保し、下の合板は根太間を含む数ヶ所に小穴をあけて下の空間と根太内の通気空隙とつなぎ、となっているが、下の空間とは、床下空間であり、床下空間の空気は床下に滞留している空気である、したがって、空気そのものの流動の力は弱いものである。根太内の通気空隙は内壁と連通させて、床下空間と内壁空洞そしてふところ空間や小屋裏空間などの躯体内空間を一連に導通した根太内通気構造となっているが、根太内通気九隙は根太方向のみにて、根太と直角方向の通気が望めない、よって、根太と直角方向の内壁空洞内への通気も望めないので、躯体内空間を一連に空気が導通することは充分とはいえない。
【特許文献１】特開平11−270009号公報（3頁図1）
【発明の開示】
【発明が解決しようとする課題】
【０００５】
この発明が解決しようとする主たる問題点は、上階の床構造が地震又は台風時に水平方向に強力な外力を受けても、床全面に周囲の胴差及び梁に渡って床板を張って床の剛性を保っている。故に下階の外壁及び間仕切壁内から上昇しようとする空気が上階の床板の下側で遮断されていた。本発明は、このような課題を改善するために提案されたものであって、下階の天井と胴差及び梁の下面との間の空間を、内装下地材を間柱間と胴差又は梁の内側面に接して張って外壁及び間仕切壁内の空間を密閉状態に形成し、上階の床構造で胴差、梁及び各根太の上面に渡って下部床板を釘着して水平方向の床構面の剛性を保ち、下部床板の上部に適宜の空隙を設け、上部床板を支持する根太の根太受金具を用いて上部床板を張って二層床の通気層を設け、下階の各間柱間と胴差及び梁の面に接して張った内装下地材に丸孔を設け、上階の二層床の下部床板に丸孔を設け、下階の内装下地材の丸孔と、二層床の下部床板の丸孔に複数のＬ字状の通気パイプを連通し、下階の外壁及び間仕切壁の通気層の空気が、Ｌ字状の複数の通気パイプ内を流動して上階の二層床の通気層を平等に流動し、上階の外壁及び間仕切壁の通気層を上昇することを提供することを目的とする。
【課題を解決するための手段】
【０００６】
請求項1に係る発明は、木造建築の構築で、下階の外壁及び間仕切壁の通気層の空気が、複数の通気パイプ内を流動して上階の二層床の通気層を通過し、該二層床の通気層から上階の外壁及び間仕切壁の通気層を上昇する建物の構造において、
上階の床構造で胴差、梁及び各根太の上面に渡って下部床板を釘着して水平構面の床剛性を保ち、該下部床板の上部に適宜の空隙を開け、上部床板を支持する根太の根太受金具を用いて上部床板を張って二層床を形成し、前記下階の外壁及び間仕切壁を構成する壁の室内側に張った下地材を、下階の天井板と胴差及び梁の下面との間の空間を各間柱と前記胴差及び梁の内側面に接して上方に延長して張って前記各間柱間の空気を密閉状態にし、前記下階の下地材の各間柱間の中心位置に前記胴差及び梁の下部の適宜の位置に丸孔を設け、前記上階の二層床の下部床板に前記間柱間の中心位置に前記胴差及び梁の室内側の適宜の位置に丸孔を設け、前記下階の外壁及び間仕切壁の下地材に設けた前記丸孔と、前記上階の二層床の下部床板に設けた前記丸孔に合わせてＬ字形の前記通気パイプを連接し、前記下階の外壁及び間仕切壁の通気層内の空気を、複数の前記通気パイプ内を流動して前記二層床の通気層を通過し、前記上階の外壁及び間仕切壁の通気層を上昇することで、懸案であった下階からの上階へと空気が自然的に上昇することが出来る。
【発明の効果】
【０００７】
上階の床構造で胴差、梁、及び各根太の上面に渡って下部床板を釘着して水平方向の床構面の剛性を保ち、下部床板の上部に適宜の空隙を設け、上部床板を支持する根太の根太受金具を用いて上部床板を張って二層床の通気層を設け、下階の外壁及び間仕切壁の通気層内の空気が、Ｌ字状の通気パイプ内を流動して上階の二層床の通気層を流動し、二層床の通気層から上階の外壁及び間仕切壁の通気層を上昇し、小屋裏空間に流動した空気を排出手段で屋外に排出することで、建物内のハウスダストや湿気を排出し、新鮮な空気の供給により、機械換気装置の必要がない、建物の健康と居住する人の健康が得られ、維持費が掛からないという効果がある。
【発明を実施するための最良の形態】
【０００８】
以下、本発明を実施するための最良の形態を、添付した図面を参照しながら詳細に説明する。
【０００９】
本実施形態に係る空気の流通は、図1に示すようぬ、密閉状態にした下階の外壁1及び間仕切壁2の通気層3の空気が複数のＬ字状の通気パイプ4内を流動し、上階5の二層床16の通気層3を通過し、上階5の外壁1及び間仕切壁2の通気層3を上昇するものである。
【００１０】
上階5の床構造で、胴差7、梁8及び各根太9の上面に下部床板10を張り渡し、下部床板10から胴差7、梁8及び各根太9の上面に釘を打ち込んで釘着し、水平方向の床構面の剛性を保ち、下部床板10の上部に適宜の空隙を設け、上部床板11を支持する根太15を支持する根太受金具12を用いて上部床板11を張って二層床16の通気層3を設ける。下部床板10には厚さ12ｍｍ以上の構造用合板を張る。
【００１１】
上階5の外壁1及び間仕切壁2の室内側に張った下地材13を、上階5の二層床16の上部床板11の上面から張り上げ、下地材13の下端と二層床16の下部床板10との間に空隙を設けて通気層3を設け、二層床16の通気層3に空気が上階5の外壁1及び間仕切壁2の通気層3へと流動するものである。
【００１２】
下階6の天井板14と胴差7及び梁8の下面との間の空間を、室内側に張った下地材13を延長して複数の間柱17間と胴差7及び梁8の内側面に接して下地材13を張り、外壁1及び間仕切壁2の複数の間柱17間の空間を密閉状態とする。
【００１３】
下階6の天井板14と胴差7及び梁8の下面との間の各間柱17間の中心位置で胴差7及び梁8の下面の適宜の位置の下地材13の面に丸孔18を設け、上階5の二層床16の下部床板10の各間柱17間の中心位置で、胴差7及び梁8から内側に寄ったの適宜な位置に丸孔18を設け、下階6の外壁1及び間仕切壁2の下地材13に設けた丸孔18と、上階5の二層床16の下部床板10に設けた丸孔18にＬ字状の通気パイプ4を連接する。
【００１４】
下階6の外壁1及び間仕切壁2の各通気層3と、上階5の二層床16の通気層3とをＬ字状の複数の通気パイプ4で連接して下階6の外壁1及び間仕切壁2の各通気層3の空気を、上階5の二層床16の通気層3を平等に流動し、上階5の外壁1及び間仕切壁2の各通気層3を上昇し、小屋裏空間に流動した空気を排出手段で屋外に排出することで、建物内を空気が循環して維持費の必要のない、建物にも居住する人にも健康的な環境が得られる。
【図面の簡単な説明】
【００１５】
【図１】下階の外壁の通気層と上階の二層床の通気層にＬ字状の通気パイプを連接した状態の建物の部分断面図である。
【図２】下階の外壁の通気層と上階の二層床の通気層をＬ字状の通気パイプを連接した状態の斜視図である。
【符号の説明】
【００１６】
1  外壁
2  間仕切壁
3  通気層
4  通気パイプ
5  上階
6  下階
7  胴差
8  梁
9  根太
10  下部床板
11  上部床板
12  根太受金具
13  下地材
14  天井板
15  上部床板の受根太
16  二層床
17  間柱
18  丸孔
【手続補正３】
【補正対象書類名】図面
【補正対象項目名】全図
【補正方法】変更
【補正の内容】
【図１】
2008057162.tif 000008
【図２】
2008057162.tif 000009